(57)【要約】【課題】カードコネクタにおいて、占有面積の小型化を図りつつ、簡単な構造にてカードの逆差しが防止できること。【解決手段】カードコネクタ１では、基板３上に合成樹脂製の第１の枠体４を取り付け、断面コの字形の板金製の第２の枠体５を取り付ける。第２の枠体５と基板３との間に形成される挿入空間１０に、カード２を挿入する。カード２が裏面２ｂを上にする逆差し状態で挿入される場合には、第２の枠体５の第２の側壁５ｃの逆差し防止用突起３０が、カード２の挿入側端面２ｃに当接することで、カード挿入を阻止する。カード２が表面２ａを上にする正規の状態で挿入される場合は、逆差し防止突起３０がカード２の対応する第２の溝２７内に入ることで、カード挿入を許容する。【選択図】　図１
2004063093.tif 000002
【特許請求の範囲】
【請求項１】
カードを挿入するための挿入空間を備えるカードコネクタにおいて、
ベース面を有する基板の上記ベース面上に上記挿入空間の奥部で固定され、コンタクトを保持する絶縁性の第１の枠体と、
上記ベース面に平行な天板及び一対の側壁を有して溝形をなし、上記ベース面との間に上記挿入空間を区画する板金製の第２の枠体とを備え、
第２の枠体の何れか一方の側壁に、挿入空間内に突出する逆差し防止用の突起を設け、
この逆差し防止用突起は挿入空間の前半部分に配置され、
上記逆差し防止用の突起は、カードが裏返されない正規の状態で挿入空間に挿入されるときのみに、当該カードの対応する側面の挿入方向に延びる溝に挿入可能であることを特徴とするカードコネクタ。
【請求項２】
請求項１において、上記逆差し防止用の突起は、上記第２の枠体の上記何れか一方の側壁に切り起こされ又は膨出された突起からなることを特徴とするカードコネクタ。
【請求項３】
請求項１又は２において、カードが正規の状態で挿入空間に挿入されるときに、上記カードの溝に沿う逆差し防止用の突起によって、カードの挿入が案内されるようにしてあることを特徴とするカードコネクタ。
【請求項４】
請求項１，２又は３において、上記挿入空間に挿入されたカードを挿入空間から離脱させるためのエジェクト機構を備え、
エジェクト機構は、挿入空間に挿入されたカードの挿入側端部をカードの抜脱方向に押すためのエジェクトアームと、このエジェクトアームにリンクを介して連接される操作アームとを含み、
この操作アームは、逆差し防止用の突起が設けられる第２の枠体の側壁の外側面に沿って摺動自在に支持されることを特徴とするカードコネクタ。
【発明の詳細な説明】
【０００１】
【発明の属する技術分野】
本発明は、ＩＣカード等のカードためのコネクタに関する。
【０００２】
【従来の技術と発明が解決しようとする課題】
この種のカードコネクタとして、図９Ａに示すコネクタ８０がある。このコネクタ８０では、基板８１上に、平面視で略コの字形形状をなす合成樹脂製の枠体８２を固定した後、枠体８２を図９Ｂに示すように溝形をなす金属製の枠体８３で覆って、図９Ａに示すように、カード８４を挿入するための挿入空間８５を区画する。
【０００３】
通例、合成樹脂製の枠体８２の側壁８６には、カード８が裏返して挿入空間８５に挿入されることを防止するための逆差し防止用の構造が設けられる。
図９Ａのコネクタでは、挿入空間８５の側部は、合成樹脂製の枠体８２の左右の側壁８６によって区画される。このため、基板８１上において、カードコネクタ８０の占有面積が左右に広くなるという問題がある。
そこで、上記の合成樹脂製の枠体８２の各側壁８６の長さを非常に短くすると共に、側壁８６の厚みも薄くし、挿入空間８５の側部をカバー８３の左右の側壁８７にて区画することで、占有面積を狭くすることが考えられる。
【０００４】
しかしながら、この場合、合成樹脂製の枠体８２の左右の側壁８６が挿入空間８５の奥部にレイアウトされるため、逆差し防止構造も挿入空間８５の奥部にレイアウトされることになる。その結果、カード８４を挿入空間８５のかなり奥まで挿入しなければ、逆差しになっていることがユーザに判らない。
ユーザによっては、そのまま力付くで、カード８４を挿入空間８５の最奥位置まで押し込んでしまって、カード８４その他が破損するおそれもある。
【０００５】
本発明は上記課題に鑑みてなされたものであり、簡単な構造にてカードの逆差しを確実に防止できるカードコネクタを提供することを目的とする。
【０００６】
【課題を解決するための手段及び発明の効果】
上記目的を達成するため、請求項１記載の発明は、カードを挿入するための挿入空間を備えるカードコネクタにおいて、ベース面を有する基板の上記ベース面上に上記挿入空間の奥部で固定され、コンタクトを保持する絶縁性の第１の枠体と、上記ベース面に平行な天板及び一対の側壁を有して溝形をなし、上記ベース面との間に上記挿入空間を区画する板金製の第２の枠体とを備え、第２の枠体の何れか一方の側壁に、挿入空間内に突出する逆差し防止用の突起を設け、この逆差し防止用突起は挿入空間の前半部分に配置され、上記逆差し防止用の突起は、カードが裏返されない正規の状態で挿入空間に挿入されるときのみに、当該カードの対応する側面の挿入方向に延びる溝に挿入可能であることを特徴とするものである。
【０００７】
本発明では、溝形をなす板金製の第２の枠体の一対の側壁によって挿入空間を区画するようにしたので、ベース面上でのカードコネクタの占有面積を狭くすることができる。しかも、カード挿入の比較的初期の段階でユーザに警告を与えることができ、カードの逆差しを確実に防止することができる。
請求項２記載の発明は、請求項１において、上記逆差し防止用の突起は、上記第２の枠体の上記何れか一方の側壁に切り起こされ又は膨出された突起からなることを特徴とするものである。この場合、板金製の枠体に容易且つ安価に形成することができる。
【０００８】
請求項３記載の発明は、請求項１又は２において、上記カードが正規の状態で挿入空間に挿入されるときに、上記カードの溝に沿う逆差し防止用の突起によって、カードの挿入が案内されるようにしてあることを特徴とするものである。この場合、通常の挿入時にカードを良好に案内でき、しかも、逆差しを確実に防止することができる。逆差し防止突起をカード挿入を案内する突起に兼用でき、突起のレイアウト上、有利である。
【０００９】
請求項４記載の発明は、請求項１，２又は３において、上記挿入空間に挿入されたカードを挿入空間から離脱させるためのエジェクト機構を備え、エジェクト機構は、挿入空間に挿入されたカードの挿入側端部をカードの抜脱方向に押すためのプッシュ部材と、このプッシュ部材にリンクを介して連接される操作アームとを含み、この操作アームは、逆差し防止用の突起が設けられる第２の枠体の側壁の外側面に沿って摺動自在に支持されることを特徴とするものである。
【００１０】
本発明では、エジョクト機構の操作アームを沿わせて支持する側壁は、操作アームとの結合により強度が高くなる。このように強度の高い側壁に、逆差し防止用の突起を設けるので、万一、逆差し状態でカードが強く押し込まれても、これに耐えることができる。
【００１１】
【発明の実施の形態】
本発明の好ましい実施の形態を添付図面を参照しつつ説明する。
図１は本発明の一実施の形態のカードコネクタ及びカードの分解斜視図である。図１を参照して、カードコネクタ１は、ＩＣカード等のカード２を挿入方向Ｘに沿って挿入して装着するためのコネクタであり、基板３のベース面３ａ上に、図２に示すようにコの字形形状をなす合成樹脂製の第１の枠体４と、図１に示すように溝形形状をなす板金製の第２の枠体５を取り付けて構成されている。第２の枠体５は、上板５ａ並びに第１及び第２の側壁５ｂ，５ｃを有している。
【００１２】
カード２は、表面２ａ、裏面２ｂ、挿入側端面２ｃ、抜脱側端面２ｄ、第１の側面２ｅ及び第２の側面２ｆを有する。カード２の連結面としての上記の挿入側端面２ｃには、図示していないが、多数のソケットコンタクトが設けられる。
一方、図２を参照して、第１の枠体４は絶縁性であり、カード２の上記ソケットコンタクトに接続させるための多数のピンコンタクト６が圧入固定されるピンハウジングとして機能する。具体的には、第１の枠体４は上記ピンコンタクト６を保持する主体部７と、主体部７の両端からカード２の抜脱方向Ｙに延びる左右一対の短尺の側壁８，９とを備える。
【００１３】
図１を参照して、コネクタ１は、第２の枠体５と基板３との間に、カード２を挿入方向Ｘに沿って挿入するための挿入空間１０を区画している。第１の枠体４は挿入空間１０の後部に配置されている。同じく挿入空間１０の後部には、挿入空間１０に挿入セットされたカード２の挿入側端面２ｃを押して、該カード２を挿入空間１０から排出方向Ｙに沿って排出するための板金製のエジェクトアーム１１が配置されている。
【００１４】
図１、並びに、カードコネクタ１の概略平面図及び概略正面図である図３Ａ及び図３Ｂを参照して、エジェクトアーム１１は、第２の枠体５の上板５ａの下面に沿ってスライド自在である。エジェクトアーム１１の左右の端部には、カード２の挿入側端面２ｃに係合するための一対の第１係合部１１ａ（特に図３Ｂ参照。図１及び図３Ａでは一方のみを示す）が設けられ、エジェクトアーム１１の中央部には、エジェクト機構１２の板金製のリンクアーム１３に係合するための第２係合部１１ｂが設けられている。
【００１５】
エジェクト機構１２は、第２の枠体５の第２の側壁５ｃの外側面に沿ってカード２の挿抜方向Ｘ１，Ｘ２に平行な方向にスライド自在に支持される、手動の板金製の操作アーム１４を備える。操作アーム１４は、第２の側壁５ｃに各一対、切り起こされたアングル状の案内支持部２１，２２によって支持され、これら案内支持部２１，２２によって、第２の側壁５ｃの外側面に沿っての操作アーム１４のスライドが案内される。
【００１６】
エジェクト機構１２は、操作アーム１４の操作をリンクアーム１３を介してエジェクトアーム１１に伝達することで、挿入空間１０に挿入セットされたカード２を挿入空間１０から排出する働きをする。
リンクアーム１３は、第２の枠体５の上板５ａの上面に沿って軸線１５の回りに揺動自在である。この軸線１５は、リンクアーム１３の第１及び第２の端部１３ａ，１３ｂ間の中間部に設けられるピボット１６により提供される。
【００１７】
リンクアーム１３の第１の端部１３ａに形成される係合孔１７に、上記エジェクトアーム１１の第１係合部１１ａが係合する。また、リンクアーム１３の第２の端部１３ｂに形成される折り曲げ状の係合部１８が、操作アーム１４の第１の端部１４ａの一対の係合部１９，２０に係合することで、リンクアーム１３の第２の端部１３ｂと操作アーム１４の先端部とが揺動自在に連結されている。
操作アーム１４の第２の端部１４ｂには、合成樹脂製の支持部２３が固定され、この支持部２３に指押し用の操作部２４が、所定の軸線２５の回りに例えば９０°の角度範囲で揺動可能に支持される。
【００１８】
挿入空間１０にカード２が挿入セットされた後は、操作部２４を支持部２３に対して折り曲げ状に起こす非使用状態として邪魔にならないようし、カード２をエジェクトするときには、非使用状態の操作部２４を倒して支持部２３に対して直線状に並ぶ使用状態にする。図示していないが、操作部２４は、使用状態及び非使用状態の姿勢を所定の保持力で保持できるようになっている。
図１、及びカード２を抜脱側端面２ｄからみた図４を参照して、カード２の第１及び第２の側面２ｅ，２ｆにはそれぞれ、第１及び第２の溝２６，２７が、抜脱方向Ｙに沿って途中部まで延びる態様にて形成されている。図４に示すように、第２の溝２７の溝幅Ｗ２が第１の溝２６の溝幅Ｗ１よりも広くされている。
【００１９】
図５は、エジェクトアーム１１及びエジェクト機構１２を装備した第２の枠体５を斜め下方から見た斜視図である。図５を参照して、第２の枠体５の第１及び第２の側壁５ｂ，５ｃには、内向きに突出するアース用の第１及び第２の突起２８，２９が形成されている。各突起２８，２９は対応する開口の縁部から片持ち状に切り起こされており、山形をなす。各突起２８，２９は挿入空間１０の入口に近い箇所に設けられる。
【００２０】
図示していないが、カード２の表面２ａ、裏面２ｂ、側面２ｅ，２ｆの所定部は金属シェルで覆われており、挿入空間１０に挿入されたカード２の金属シェルから、上記の第１及び第２の突起２８，２９、第２の枠体５、基板３へと導通され、カード２のアースが達成されるようになっている。ただし、カード２を挿入するときに、第１及び第２の突起２８，２９が第１及び第２の溝２６，２７に沿うことで、カード２の挿入を案内するようにしても良い。すなわち、第１及び第２の突起２８，２９をカード挿入のための案内突起として利用しても良い。
【００２１】
また、エジェクト機構１２の操作アーム１４が支持される第２の側壁５ｃには、上記の第２の突起２９よりも挿入空間１０の奥側（挿入方向Ｘ側）に、逆差し防止用突起３０を形成している。この逆差し防止用突起３０は、図３Ａに示すように、例えばアングル状をなして挿入空間１０内に突出している。
カード２が抜脱用端面２ｄを押されて挿入空間１０に挿入されるときに、各突起２８，２９がカード２の対応する溝２６，２７内を移動し、カード２の挿入ストロークの終端では、各突起２８，２９が対応する溝２６，２７から脱出してカード２の対応する側面２ｅ，２ｆ上に乗り上げることで、カード２の側面２ｅ，２ｆにある図示しない金属シェルに弾性押圧力を与えて接触することになる。
【００２２】
ただし、カード２が裏表逆向きにして（表面２ａと裏面２ｂを逆にして）挿入空間１０に挿入されるときにも、すなわち逆差しのときにも、各突起２８，２９が溝２７，２６内に入れるようになっている。
本実施の形態の特徴とするところは、上記のような逆差しを、カード挿入の早い段階で確実に防止することにあり、そのために、上記の逆差し防止用突起３０を、挿入空間１０の前半部分（すなわちカード挿入ストロークの前半領域）に対応してレイアウトするようにしている。
【００２３】
図６Ａに示すように、逆差し防止用突起３０の幅Ｐは、第１の溝２６の溝幅Ｗ１よりも大きく、且つ第２の溝２７の溝幅Ｗ２よりも小さく設定される。
図６Ａを参照して、カード２が表面２ａを上にする正規の状態で挿入されるときには、逆差し防止用突起３０が、カード２の対応する幅広の第２の溝２７内に挿入されるので、カード挿入が許容される。
一方、図６Ｂに示すように、カード２が裏面２ｂを上にする表裏逆の状態で挿入されるときには、逆差し防止用突起３０が、カード２の対応する幅狭の第１の溝２６内には挿入され得ず、図７に示すように、カード２の挿入側端面２ｃに当接することで、カード挿入を防止する。
【００２４】
本実施の形態によれば、溝形をなす板金製の第２の枠体５の一対の側壁５ｂ，５ｃによって挿入空間１０の側部を区画するようにしたので、基板３上でのカードコネクタ１の占有面積を狭くすることができる。しかも、逆差し防止用突起３０によりカード挿入の比較的初期の段階でユーザに警告を与えることができ、カード２の逆差しを確実に防止することができる。
また、上記逆差し防止用突起３０が、第２の枠体５の第２の側壁５ｃに切り起こされた突起からなるので、容易且つ安価に形成できる。
【００２５】
図８は本発明の別の実施の形態を示している。図８を参照して、本実施の形態が図５の実施の形態と異なるのは下記である。すなわち、図５の実施の形態では第１の突起２８を用いていたが、本実施の形態では、これを廃止する。また、図５の実施の形態では、第２の突起２９と逆差し防止用突起３０を別々に設けていたが、本実施の形態では、第２の突起を兼用する両持ち状の逆差し防止用突起３０Ａを用いて、構造を簡素化している。また、逆差し防止用突起３０Ａのレイアウトの自由度を高めている。
【００２６】
なお、本発明は上記各実施の形態に限定されるものではなく、例えば逆差し防止用突起を切り起こさないで膨出突起として形成することもできる。その他、本発明の特許請求の範囲で種々の変更を施すことができる。
【図面の簡単な説明】
【図１】本発明の一実施形態のカードコネクタとカードの分解斜視図である。
【図２】ピンコンタクトを保持する合成樹脂製の第１の枠体の斜視図である。
【図３】図３Ａ及び図３Ｂはそれぞれカードコネクタの平面図及び正面図である。
【図４】カードを抜脱側端面から見た図である。
【図５】エジェクト機構が取り付けられた板金製の第２の枠体を斜め下方から見た斜視図である。
【図６】図６Ａは正規の状態で挿入されるカードと逆差し防止用突起の関係を示す模式的図であり、図６Ｂは逆差しされるカードと逆差し防止用突起の関係を示す模式図である
【図７】逆差しされるカードと逆差し防止用突起の関係を示す模式的平面図である。
【図８】本発明の別の実施の形態において、エジェクト機構を装備した第２の枠体を斜め下方からみた斜視図である。
【図９】図９Ａ及び図９Ｂは従来のカードコネクタの模式的平面図及び模式的正面図である。
【符号の説明】
１　　カード用コネクタ
２　　カード
２ａ　表面
２ｂ　裏面
２ｃ　挿入側端面
２ｅ　第１の側面
２ｆ　第２の側面
３　　基板
３ａ　ベース面
４　　第１の枠体
５　　第２の枠体
５ａ　天板
５ｂ　第１の側壁
５ｃ　第２の側壁
Ｘ　　挿入方向
Ｙ　　排出方向
１０　挿入空間
１１　エジェクトアーム
１１ａ　第１係合部
１１ｂ　第２係合部
１２　エジェクト機構
１３　リンクアーム
１４　操作アーム
１５　軸線
２１，２２　案内支持部
２３　支持部
２４　操作部
２５　軸線
２６　第１の溝
２７　第２の溝
２８　第１の突起
２９　第２の突起
３０　逆差し防止用突起
３０Ａ　逆差し防止用突起（第２の突起）
【図１】
2004063093.tif 000003
【図２】
2004063093.tif 000004
【図３】
2004063093.tif 000005
【図４】
2004063093.tif 000006
【図５】
2004063093.tif 000007
【図６】
2004063093.tif 000008
【図７】
2004063093.tif 000009
【図８】
2004063093.tif 000010
【図９】
2004063093.tif 000011